(57)【要約】【課題】所定のタイミングでメカニカルな動作を行う演出装置が設置されており趣向性が高い上、その演出装置の設置レイアウトの自由度が大きい実用的な遊技機を提供する。【解決手段】パチンコ機の遊技盤の盤面上には、メカニカル演出装置３１が設置されており、基台２７から装飾板２５を突出させてなる可動体３２を、遊技盤の盤面に対して装飾板２５を平行に保持したままスライドさせることができるようになっている。また、可動体３２の基台２７の前方には、扁平なガイド板３７が、基台２７の前面から所定の距離を隔てて遊技盤の盤面に対して平行に設けられている。さらに、基台２７の前面には、ガイド板３７に当接した状態を保ちながら回転するローラ５３が設けられている。【選択図】図６
2012239756.tif 000002
【特許請求の範囲】
【請求項１】
多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、
前記メカニカル演出装置が、可動体を所定の方向にスライドさせるものであるとともに、
前記可動体と隣接した位置に、扁平なガイド板が、可動体から所定の距離を隔てて可動体のスライド方向に対して平行に設けられており、かつ、
前記可動体に、前記ガイド板に当接した状態を保ちながらそのガイド板との摩擦抵抗を低減する第一の摩擦低減体が設けられていることを特徴とする遊技機。
【請求項２】
前記可動体がスライドする領域に、可動体に当接した状態を保ちながら可動体との摩擦抵抗を低減する第二の摩擦低減体が設けられていることを特徴とする請求項１に記載の遊技機。
【請求項３】
第一の摩擦低減体および／または第二の摩擦低減体が回転体であることを特徴とする請求項１に記載の遊技機。
【発明の詳細な説明】
【技術分野】
【０００１】
本発明は、パチンコ機等の遊技機に関するものである。
【背景技術】
【０００２】
遊技機の一例であるパチンコ機として、図柄始動口に遊技球が入賞した場合に、図柄表示装置において、図柄の変動表示を実行するとともに、制御装置内で大当たり抽選を実施し、その大当たり抽選の結果、大当たりとなった場合に、図柄表示装置に所定の大当たり図柄（たとえば、「７，７，７」）を表示し、大当たり状態を生起させ、大入賞口の開閉扉を所定回数だけ断続的に開成させて、遊技者に多くの賞品球を払い出すもの（所謂、図柄合わせタイプのパチンコ機）が知られている。
【０００３】
また、そのような図柄合わせタイプのパチンコ機の中には、図柄表示装置の周囲等に、スライド、回転、伸縮等の機械的な（メカニカルな）動作を実行可能な演出装置（以下、メカニカル演出装置という）が設けられており、図柄表示装置において所定の態様（たとえば、所謂リーチ変動態様）で図柄の変動表示を実行する際に、所定のタイミングにおいて当該演出装置を作動させて、遊技者の大当たりへの期待感を高揚させるように構成されたものもある。かかるメカニカル演出装置としては、特許文献１の如く、平板状の可動体を、駆動装置の駆動によって、遊技盤面に対して平行な状態を保持させたまま、上下方向に移動させるものが知られている。
【先行技術文献】
【特許文献】
【０００４】
【特許文献１】特開２００９−１９５３４０号公報
【発明の概要】
【発明が解決しようとする課題】
【０００５】
しかしながら、可動体を遊技盤面に対して平行に保持させたまま移動（スライド）させるメカニカル演出装置を設置したパチンコ機においては、スライドする可動体が前後に大きく振れてしまうため、メカニカル演出装置を素早く作動させることができない、という不具合がある。また、スライドする可動体が前後に大きく振れてしまうので、前後に大きなスペースがなければメカニカル演出装置を設置することができないため、遊技盤面上におけるメカニカル演出装置の設置レイアウトが著しく限定されてしまう、という不具合がある。
【０００６】
本発明の目的は、上記従来のパチンコ機が有する問題点を解消し、メカニカル演出装置の作動がスピーディで趣向性が高い上、メカニカル演出装置の設置レイアウトの自由度が大きい実用的な遊技機を提供することにある。
【課題を解決するための手段】
【０００７】
本発明の内、請求項１に記載された発明は、多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、前記メカニカル演出装置が、可動体を所定の方向にスライドさせるものであるとともに、前記可動体と隣接した位置に、扁平なガイド板が、可動体から所定の距離を隔てて可動体のスライド方向に対して平行に設けられており、かつ、
前記可動体に、前記ガイド板に当接した状態を保ちながらそのガイド板との摩擦抵抗を低減する第一の摩擦低減体が設けられていることを特徴とするものである。
【０００８】
請求項２に記載された発明は、請求項１に記載された発明において、前記可動体がスライドする領域に、可動体に当接した状態を保ちながら可動体との摩擦抵抗を低減する第二の摩擦低減体が設けられていることを特徴とするものである。
【０００９】
請求項３に記載された発明は、請求項１、または請求項２に記載された発明において、第一の摩擦低減体および／または第二の摩擦低減体が回転体であることを特徴とするものである。
【発明の効果】
【００１０】
請求項１に記載の遊技機は、可動体が第一の摩擦低減体によって支持された状態を保ってスライドするため、スライド方向に対して直交する方向に振れにくいので、小さなスペースにおいても、他の部材に衝突しないように設置することができる。したがって、遊技盤上へのメカニカル演出装置の設置レイアウトの自由度が大きい。
【００１１】
請求項２に記載の遊技機は、可動体が第二の摩擦低減体によって支持された状態を保ってスライドするため、スライドする方向に対して直交した方向に振れにくいので、小さなスペースにおいても、他の部材に衝突しないように設置することができる。したがって、請求項１に記載の遊技機と同様に、遊技盤上へのメカニカル演出装置の設置レイアウトの自由度がきわめて大きい。
【００１２】
請求項３に記載の遊技機は、第一の摩擦低減体および／または第二の摩擦低減体が回転体であるため、可動体を、回転体である第一の摩擦低減体および／または第二の摩擦低減体に支持させながら非常にスムーズに、かつ、きわめてスピーディにスライドさせることができるため、遊技の趣向性が高く、遊技者の遊技に対する意欲を長期間に亘って高く保持することができる。
【図面の簡単な説明】
【００１３】
【図１】パチンコ機の正面図である。
【図２】遊技盤の正面図である。
【図３】大型遊技部材の設置部位を示す説明図（正面図）である。
【図４】メカニカル演出装置の設置部位を示す説明図（正面図）である。
【図５】メカニカル演出装置を示す説明図（正面図）である。
【図６】メカニカル演出装置を分解して示す説明図（斜視図）である。
【図７】可動体の基台の下端際を左側方から見た状態を示す説明図（図５におけるＡ−Ａ線部分断面図）である。
【図８】スライド部材の断面（長手方向に対して垂直な断面）を示す説明図である。
【図９】メカニカル演出装置の作動内容を示す説明図（正面図）である。
【発明を実施するための形態】
【００１４】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。また、前面枠３の中央よりやや上側には、平板状の遊技盤（図１では示さず）が設置されており、その遊技盤の前面には、透明なガラス板を嵌め込んだガラス扉１２が、左端縁を中心として片開き自在に蝶着されている。
【００１５】
また、図２は、遊技盤４を示したものであり、遊技盤４の表面には、金属製で帯状のガイドレール８が円弧状に立設されており、当該ガイドレール８によって、略円形の遊技領域１０が区画された状態になっている。そして、当該遊技領域１０には、大型遊技部材１１が設置されている。大型遊技部材１１は、装飾体が周状に配置されており、中央部分が略矩形に切りかかれて窓部２３が形成された状態になっている。
【００１６】
さらに、図３は、大型遊技部材１１の設置部分を示したものである（なお、図３においては、遊技盤４の記載が省略されている）。大型遊技部材１１の後方（遊技盤４の裏面）には、中央を矩形に開口してなる枠体２６が設置されている。図４は、大型遊技部材１１を取り外した状態の枠体２６を示したものであり、枠体２６の右下方の前面（大型遊技部材１１の右下方の裏側）には、可動体３２を斜め方向にスライド可能なメカニカル演出装置３１が設置されている。加えて、枠体２６の中央の開口部の左右には、アコーディオンカーテンと同様に折りたたみ可能な構造を有する扉部材１２，１２が設置されており、開口部の大部分を開閉可能になっている。
【００１７】
また、枠体２６の後方には、図柄表示装置（図示せず）が付設されており、その図柄表示装置の液晶画面が、枠体２６の開口部から露出した状態になっている。一方、大型遊技部材１１の窓部２３には、合成樹脂製の透明板（液晶保護板）１３が取り付けられており、当該透明板１３が、図柄表示装置の液晶画面を覆った状態になっている。
【００１８】
また、図２の如く、大型遊技部材１１の窓部２３の下側には、遊技球を転動させるためのステージ２２が形成されている。さらに、大型遊技部材１１の左側には、遊技球を通過可能なゲート９が設けられており、大型遊技部材１１の中央の下側（ステージ２２の下側）には、電動役物ユニット１４が設けられている。当該電動役物ユニット１４には、始動入賞口１５と普通電動役物１６とが設けられており、普通電動役物１６は、上部の開閉体１７，１７が開閉するようになっている。また、電動役物ユニット１４の下側には、大入賞口１８が設置されている。大入賞口１８は、内蔵された作動装置（図示せず）によって、横長な長方形の板状の扉体を片開き（下端縁を軸として片開き）させることができるようになっている。
【００１９】
また、遊技領域１０には、大型遊技部材１１や大入賞口１８の他に、入賞装置２１，２１・・、電飾ランプ、風車等が設置されているとともに、多数の障害釘（図示せず）等が植設されている。
【００２０】
＜メカニカル演出装置の構成＞
図６は、メカニカル演出装置３１を分解して示したものであり、メカニカル演出装置３１は、基台２７および装飾板２５を備えた可動体３２、ベース部材２８、基板収納部材２９、スライド部材３０、ガイド板３７、駆動装置であるモータ（ステッピングモータ）３８等によって構成されている。なお、以下のメカニカル演出装置３１の構成および作用の説明においては、遊技機の正面をメカニカル演出装置３１の正面として説明する。
【００２１】
可動体３２は、基台２７の上方に装飾板２５を突設させた構造を有している。基台２７は、合成樹脂によって、横長な支持部２７ａから一定幅の連結部２７ｂを突出させた前面視逆Ｔ字状に形成されている。そして、可動体３２の装飾板２５のＬＥＤと接続した配線６０を保護するための金属板製の配線保護部材４９が、支持部２７ａの前面を上下に縦断するように螺着されている。図７は、基台２７の下端際を左側方から見た状態を示したものである（なお、後述するベルト５５および配線６０については断面の様子が示されている）。配線保護部材４９は、下端が内向きに直交した状態になっており、下端際の内側には、配線掴持部材６６が支持部２７ａから下方に突出するように設けられている。そして、当該配線掴持部材６６によって、配線６０が掴持された状態になっている。また、配線掴持部材６６から所定の距離を隔てた後方には、ベース部材２８に懸架されたベルト５５を掴持するためのベルト掴持部材６７が、支持部２７ａの下面から下方に突出するように設けられている。
【００２２】
さらに、図６の如く、基台２７の配線保護部材４９の右上方には、一定幅の横長なスリット５０が形成されており、そのスリット５０の上下には、軸受け部５１ａ，５１ｂが前方に突出するように形成されている。そして、それらの軸受け部５１ａ，５１ｂの内側面には、一定幅の軸支溝５２が前後方向に沿って刻設されており、当該軸支溝５２，５２を利用して、扁平な円盤体の上下から支軸を突出させてなる硬質な合成樹脂製のローラ（第一の回転体）５３が、連結部２７ｂの突出方向に沿った軸（可動体３２のスライド方向に対して垂直な軸）を中心として回転可能に枢着されている。
【００２３】
一方、装飾板２５は、多数のＬＥＤを搭載した基板（図示せず）の上に、装飾を施した合成樹脂製の透明板３９を積層してなるものである。当該透明板３９の表面には、「地」の装飾文字が透明に設けられており、ＬＥＤを発光させると、通常時には視認し難い装飾文字を明瞭に視認することができるようになっている。かかる装飾板２５は、下方に突出させた係合体（図示せず）を基台２７の連結部２７ｂの裏面に螺着することによって、基台２７と一体になっている。
【００２４】
また、ベース部材２８は、横長な金属板の外端縁の一部を、前方側へ直角に折り返すことによって形成されており、左右の端縁際に、それぞれ、外周に鋸歯を形成してなるスプロケット５４ａ，５４ｂが、前後方向に沿った軸を中心として回転可能に枢着されている。そして、それらのスプロケット５４ａ，５４ｂに、多数の鋸歯を内面に形成してなる一定幅のゴム製のベルト５５が懸架された状態になっており、当該ベルト５５の鋸歯と各スプロケット５４ａ，５４ｂの鋸歯とが噛合した状態になっている。また、ベース部材２８の右下方の裏面には、モータ３８が固着されており、当該モータ３８の軸が、ベース部材２８の表面側に突出し、前後方向に沿った軸を中心として回転可能になっている。さらに、当該モータ３８の軸には、外周に鋸歯を設けてなる駆動歯車５６が固着されている。さらに、右側のスプロケット５４ｂと、駆動歯車５６との間には、外周に鋸歯を設けてなる補助歯車５７が、前後方向に沿った軸を中心として回転可能に枢着されている。そして、それらの駆動歯車５６、補助歯車５７、右側のスプロケット５４ｂは、互いに噛合した状態になっており、モータ３８の駆動によって、左右のスプロケット５４ａ，５４ｂに懸架されたベルト５５が周回するようになっている。また、ベース部材２８の左端縁際、中央上方等には、基板収納部材２９と螺着するためのネジ挿通孔６５，６５・・が穿設されている。
【００２５】
一方、図８は、組み合わせたスライド部材３０の断面（長手方向に対して垂直な断面）を示したものであり、スライド部材３０は、金属によって形成された支持アーム４０、ガイドアーム３５、スライドアーム３４、ボール４３，４３・・等によって構成されている。支持アーム４０は、長尺な帯状の第一ベース板４１の上下両端に、先端の内面を円弧状に刻設してなる第一帯状壁体４２，４２が前方へ突出するよう設けられており、断面が略コ字状になっている。そして、当該支持アーム４０には、長尺なガイドアーム３５が、ボール４３，４３・・を介して嵌め合わされている。
【００２６】
また、ガイドアーム３５は、鉛直な帯状のベース体４４の上下両端から前後に扁平な係合体４５，４５・・を突出させてなる断面略Ｈ字状に形成されており、各係合体４５，４５・・の先端の外面が円弧状に刻設されている。そして、ボール４３，４３・・を介して支持アーム４０に嵌め合わされることによって、支持アーム４０から外れないようになっている。当該ガイドアーム３５は、ボール４３，４３・・によるベアリング機構によって、長手方向に沿って所定の長さだけスライド可能になっている。
【００２７】
さらに、ガイドアーム３５には、長尺なスライドアーム３４が、ボール４３，４３・・を介して嵌め合わされている。スライドアーム３４は、支持アーム４０と同様に、長尺な帯状の第二ベース板４７の上下両端に、先端の内面を円弧状に刻設してなる第二帯状壁体４８，４８が前方へ突出するよう設けられており、断面が略コ字状になっている。そして、ボール４３，４３・・を介してガイドアーム３５に外嵌されることによって、ガイドアーム３５から外れないようになっている。そして、スライドアーム３４は、ボール４３，４３・・によるベアリング機構によって、長手方向に沿って所定の長さだけ（ガイドアーム３５に対して所定の長さだけ）スライド可能になっている。
【００２８】
そして、上記したスライド部材３０の支持アーム４０が、ベース部材２８の前面（スプロケット５４ａ，５４ｂ間に懸架されたベルト５５の上方）に螺着されており、スライド部材３０のスライドアーム３４が、可動体３２の基台２７の支持部２７ａの裏側に、支持部２７ａの長手方向に沿うように螺着されている。
【００２９】
一方、基板収納部材２９は、硬質な合成樹脂によって、図６の如く、横長な平板状のベース部の下端縁の略全体を前方側へ直角に折り返してなる形状に形成されており、前面視がベース部材２８の下半分と略同一の形状になっている。そして、下端際には、モータ３８および装飾板２５内のＬＥＤを制御するための配線基板５８が設置されている。さらに、配線基板５８の上部には、補強壁５９が立設されており、当該補強壁５９によって、一定幅の帯状の配線６０を挿通させるための配線通路６１が形成された状態になっている。そして、可動体３２の装飾板２５のＬＥＤと接続した配線６０が、連結部２７ｂの内部を通り、配線保護部材４９の内側を通って、配線保護部材４９の内部で９０°屈曲されて配線保護部材４９の前方へ押し出され、さらに、ヘアピン状に折り返され、配線通路６１を通って、配線基板５８に接続されている。加えて、基板収納部材２９の左右の端縁際および補強壁５９の左側の端縁際には、ネジ溝を螺刻した円筒状で同一の高さを有するリブ６２，６２・・が立設されている。さらに、基板収納部材２９の外周縁際の裏面にも、ネジ溝を螺刻した円筒状で同一の高さを有するリブ６３，６３・・が立設されている。
【００３０】
また、ガイド板３７は、硬質で透明な合成樹脂によって平板状に形成されており、前面視がベース部材２８と類似した形状になっている。そして、下端縁際に、ネジを挿通させるためのネジ挿通孔６４，６４・・が穿設されている。
【００３１】
メカニカル演出装置３１は、上記の如く、可動体３２が、スライド部材３０を介してベース部材２８に固着されており、斜め左右の方向にスライド可能になっている。また、ベース部材２８のネジ挿通孔６５，６５・・および基板収納部材２９の裏面のリブ６３，６３・・を利用して、ベース部材２８の下側の前方に、基板収納部材２９が螺着されており、配線６０を内部に挿通させた可動体３２の配線保護部材４９の下端（配線掴持部材６６）と、ベルト５５を掴持した（固着した）可動体３２のベルト掴持部材６７とが、基板収納部材２９の上端際の平板状の部分を介して、前後に配置された状態になっている（図７参照）。さらに、基板収納部材２９のリブ６２，６２・・およびガイド板３７のネジ挿通孔６４，６４・・を利用して、基板収納部材２９の前方にガイド板３７が螺着されており、可動体３２のローラ５３がガイド板３７の裏面に当接した状態になっている。そして、図５、図６に示されているように、メカニカル演出装置３１が作動していない通常の状態においては、ベース部材２８の前方にスライド部材３０が位置し、かつ、スライド部材３０の前方に基台２７の支持部２７ａが位置し、なおかつ、支持部２７ａの前方にガイド板３７が位置しているため、スライド部材３０および基台２７の支持部２７ａが、ガイド板３７によって隠れており、遊技者から見えないようになっている。
【００３２】
一方、図４の如く、枠体２６のメカニカル演出装置３１の設置部分の上方には、可動体３２の基台２７に枢着されたローラ５３と同一形状を有するローラ（第二の回転体）６８が、鉛直方向に沿った軸を中心として回転可能に枢着されている。なお、当該ローラ６８は、回転する円盤の前端の位置が、開放した扉部材１２，１２の前端よりも前方に位置するように枠体２６に取り付けられている。
【００３３】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置（図示せず）において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様の中から一つの変動態様が選択され、当該変動態様に基づいて、図柄表示装置において所定の時間だけ図柄の変動表示を実行する。そして、当該変動表示の後に「大当たり図柄」あるいは「はずれ図柄」を表示することによって大当たり抽選の結果を表示する。
【００３４】
「大当たり状態」においては、大入賞口１８の扉体が所定回数だけ断続的に開成する。したがって、遊技者は、「大当たり」が発生した場合には、多くの遊技球を大入賞口１８に入賞させることによって、多くの賞品球を獲得することができる。
【００３５】
＜メカニカル演出装置の作動内容＞
パチンコ機１においては、上記の如く、遊技球が始動入賞口１５に入賞する毎に、図柄の変動態様の抽選を実行するが、所定の変動態様（たとえば、所謂、リーチ変動態様）が選択された場合には、所定のタイミングで、メカニカル演出装置３１が可動体３２をスライドさせることによって演出動作を実行する。メカニカル演出装置３１を作動させる場合には、モータ３８に電源が供給される。モータ３８に電源が供給されると、モータ３８の軸の回転に伴って駆動歯車５６が所定方向（反時計回り）に回転する。そのように駆動歯車５６が回転すると、その回転に伴って、補助歯車５７と噛合した右側のスプロケット５４ｂが回転し（反時計回りに回転し）、ベルト５５が反時計回りに周回する。
【００３６】
そして、上記の如く、ベルト５５がスプロケット５４ａ，５４ｂ間を反時計回りに周回すると、ベルト掴持部材６７によってベルト５５と一体になった可動体３２に、左斜め上方向きの力が作用する。そのように、可動体３２に左斜め上方向きの力が作用すると、スライド部材３０のスライドアーム３４が、ガイドアーム３５に対して、所定の長さだけスライドし、しかる後、ガイドアーム３５が、支持アーム４０に対して、所定の長さだけスライドすることにより、可動体３２が、装飾板２５の前後の面を遊技盤４の盤面に対して平行に配置させた状態を保ったまま（前後に配置された構造物から等しい距離（前後方向における距離）を保ったまま）、大型遊技部材１１の右下方から左斜め上方にスライドする（図４の状態）。
【００３７】
上記の如くメカニカル演出装置３１が作動するため、可動体３２の装飾板２５は、通常時には、図２の如く、大型遊技部材１１の窓部２３の右下方において大部分を隠した状態になっているが、前記所定のタイミングで、図３の如く、左斜め上方に移動することになる。また、上記の如く、可動体３２が左上方へスライドする場合には、可動体３２に内蔵された基板（図示せず）に電源が供給され、基板上に搭載されたＬＥＤが発光して「地」の装飾文字が浮かび上がる。
【００３８】
また、所定の時間、可動体３２を左斜め上方に移動させた後には、可動体３２を元の位置に移動させる。そのように可動体３２を逆方向に移動させる場合には、モータ３８に電源が供給されてモータ３８の軸の回転に伴って駆動歯車５６が時計回りに回転する。そのように駆動歯車５６が回転すると、その回転に伴って、右側のスプロケット５４ｂが時計回りに回転し、ベルト５５が時計回りに周回する。
【００３９】
そして、上記の如く、ベルト５５がスプロケット５４ａ，５４ｂ間を時計回りに周回すると、ベルト５５と一体になった可動体３２に右斜め下方向きの力が作用する。そのように、可動体３２に右斜め下方向きの力が作用すると、スライド部材３０のガイドアーム３５が支持アーム４０に対してスライドした後、スライドアーム３４がガイドアーム３５に対してスライドすることにより、可動体３２が、装飾板２５の前後の面を遊技盤４の盤面に対して平行に配置させた状態を保ったまま、右斜め下方にスライドし、大部分を大型遊技部材１１の右下方へ隠した状態となる（図２、図９の状態）。
【００４０】
遊技機１においては、メカニカル演出装置３１が上記の如くスライドするが、メカニカル演出装置３１においては、図７の如く、配線６０を内部に挿通させた可動体３２の配線保護部材４９の下端（配線掴持部材６６）とベルト５５を掴持した可動体３２のベルト掴持部材６７とが、基板収納部材２９の上端際の平板状の部分を介して、前後に配置された状態になっているため、可動体３２がスライドする際に、配線６０がベルト５５に噛み込まれるという事態が生じない。
【００４１】
また、メカニカル演出装置３１においては、可動体３２がスライドする際に、振動抑制部材として機能する第一の摩擦低減体（回転体）であるローラ５３が、ガイド板３７の裏面に当接しながら回転する。さらに、可動体３２が閉じた扉部材１２，１２の付近を、右下方の位置から左上方へスライドする際には、振動抑制部材としても機能する第二の摩擦低減体（回転体）であるローラ６８が、装飾板２５の裏面に当接しながら回転する（図９参照）。したがって、可動体３２がスライドする際には、可動体３２の前後への振れが抑制され、可動体３２が扉部材１２，１２に接触する事態が防止されるとともに、可動体３２がスピーディにかつスムーズにスライドする。
【００４２】
＜遊技機の効果＞
パチンコ機１は、上記の如く、メカニカル演出装置３１が基台２７から装飾板２５を突出させてなる可動体３２を、装飾板２５を遊技盤４の盤面に対して平行に保持させながらスライドさせるものであるとともに、基台２７の前方に、扁平なガイド板３７が、基台２７の前面から所定の距離を隔てて遊技盤４の盤面に対して平行に設けられており、基台２７の前面に、ガイド板３７に当接した状態を保ちながら回転する第一の摩擦低減体であるローラ（回転体）５３が設けられている。したがって、パチンコ機１によれば、可動体３２が第一の回転体であるローラ５３に支持されながらスムーズにスライドするとともに、装飾板２５が前方へ振れにくいので、前方の奥行きが小さいスペースにも、他の部材に衝突しないように設置することができる。したがって、遊技盤４の盤面上へのメカニカル演出装置３１の設置レイアウトの自由度が大きい。すなわち、パチンコ機１によれば、メカニカル演出装置３１の移動範囲において、そのメカニカル演出装置３１の設置に伴って生じる部材の設置制限（メカニカル演出装置３１とその前後に位置させる部材との間隔に起因した部材の設置制限）を最小限に留めることが可能となる。また、装飾板２５が前方へ振れにくいので、可動体３２をスピーディにスライドさせることができるため、遊技の趣向性が高く、遊技者の遊技に対する意欲を長期間に亘って高く保持することができる。
【００４３】
また、パチンコ機１は、可動体３２がスライドする領域の後方に、装飾板２５の裏面に当接した状態を保ちながら回転する第二の摩擦低減体であるローラ（回転体）６８が設けられているため、可動体３２が第一の摩擦低減体であるローラ５３および第二の摩擦低減体であるローラ６８に支持されながら非常にスムーズにスライドするとともに、装飾板２５が前後に振れにくいので、前後の奥行きが小さいスペースにも、他の部材（ここでは、扉部材１２，１２）に衝突しないように設置することができる。したがって、遊技盤４の盤面上へのメカニカル演出装置３１の設置レイアウトの自由度がきわめて大きい。また、装飾板２５が前後に振れにくいので、可動体３２をきわめてスピーディにスライドさせることができる。
【００４４】
＜遊技機の変更例＞
本発明に係る遊技機の構成は、上記実施形態の態様に何ら限定されるものではなく、機枠、前面枠、遊技盤、供給皿、貯留皿、発射ハンドル、図柄表示装置、入賞装置、電動役物ユニット、大型遊技部材、メカニカル演出装置等の形状、構造、材質等の構成を、本発明の趣旨を逸脱しない範囲で適宜変更することができる。
【００４５】
たとえば、メカニカル演出装置は、上記実施形態の如く、スライドアームとガイドアームとの２個のアームによって可動体をスライドさせるものに限定されず、単一のアームによって可動体をスライドさせるものや、３個以上のアームによって可動体をスライドさせるもの等でも良い。
【００４６】
本発明に係る遊技機は、上記実施形態の如く、ガイド板の裏面に第一の摩擦低減体（回転体）を１個のみ設けたものや、可動体がスライドする領域の後方に第二の摩擦低減体（回転体）を１個のみ設けたもの等に限定されず、第一の摩擦低減体、第二の摩擦低減体を２個以上設けたものでも良い。また、第一の摩擦低減体、第二の摩擦低減体は、上記実施形態の如く、硬質な合成樹脂製のローラに限定されず、ゴムを周設した回転体等に変更することも可能であるし、ベアリング等の回転体とは異なる部材を、第一の摩擦低減体、第二の摩擦低減体として用いることも可能である。
【００４７】
また、メカニカル演出装置は、上記実施形態の如く、可動体を右下方から左上方にスライドさせるものに限定されず、必要に応じてスライド方向を変更することができる。さらに、メカニカル演出装置は、上記実施形態の如く、モータによって駆動するものに限定されず、ソレノイド等の別の駆動装置によって駆動するもの等に変更することができる。
【符号の説明】
【００４８】
１・・パチンコ機
４・・遊技盤
２５・・装飾板
２７・・基台
３１・・メカニカル演出装置
３２・・可動体
３７・・ガイド板
３８・・モータ（駆動装置）
５３・・ローラ（第一の摩擦低減体）
６８・・ローラ（第二の摩擦低減体）
【図１】
2012239756.tif 000003
【図２】
2012239756.tif 000004
【図３】
2012239756.tif 000005
【図４】
2012239756.tif 000006
【図５】
2012239756.tif 000007
【図６】
2012239756.tif 000008
【図７】
2012239756.tif 000009
【図８】
2012239756.tif 000010
【図９】
2012239756.tif 000011